(57)【要約】【課題】ゴム製ブレスレットの外側外表面に文字列などを印刷し易くし、見栄えやファッション性に富むブレスレットを得る。【解決手段】第１〜第３の金型２５〜２９の３枚構成とする。第１の金型２５には、これに設けた貫通部３１を形成する筒形内壁３３にブレスレット１のリング部横断面における外周側半断面相当の第１の成形溝３５を環状に形成する。第２の金型２７には、その貫通部３１に挿入する突台部３９を設け、この突台部３９の先端外周にブレスレット１の残り内周半断面をなす部分断面相当の第２の成形溝４１を環状に形成する。第３の金型２９には、その貫通部３１に挿入され突台部４７を設け、この突台部４７の先端外周にブレスレット１の内周半断面の残り部分断面相当の第３の成形溝４９を環状に形成する。【選択図】　図１
2004141205.tif 000002
【特許請求の範囲】
【請求項１】
貫通部を有する第１の金型であって、前記貫通部を形成する筒形内壁に、リング状ブレスレットのリング部を横切る横断面における外周側半断面に相当する第１の成形溝を環状に設けた第１の金型と、
この第１の金型に前記貫通部の一方から挿入される第２の金型であって、前記ブレスレットの残りの内周半断面における前記一方側の部分断面に相当する第２の成形溝を環状に設けた第２の金型と、
前記第１の金型に前記貫通部の他方から前記第２の金型に近接するように挿入される第３の金型であって、前記ブレスレットの内周側半断面における前記他方側の部分断面に相当し前記第１および第２の成形溝とともに前記ブレスレットのリング部形状を形成する第３の成形溝を環状に設けた第３の金型と、
を具備することを特徴とするゴム製ブレスレットの成形金型。
【請求項２】
貫通部を有する第１の金型であって、前記貫通部を形成する筒形内壁に、リング状ブレスレットのリング部を横切る横断面における外周側半断面に相当する第１の成形溝を環状に設けた第１の金型と、
この第１の金型に前記貫通部の一方から挿入される第２の金型であって、前記ブレスレットの残りの内周半断面における前記一方側の部分断面に相当する第２の成形溝を環状に設けた第２の金型と、
前記第１の金型に前記貫通部の他方から前記第２の金型に近接するように挿入される第３の金型であって、前記ブレスレットの内周側半断面における前記他方側の部分断面に相当し前記第１の成形溝および第２の成形溝とともに前記ブレスレットのリング部形状を形成する第３の成形溝を環状に設けた第３の金型とを用意し、
前記第１の金型の貫通部に前記一方側から、前記第１および第２の成形溝を合わせるようにして前記第２の金型を嵌め、
少なくとも前記第１および第２の成形溝の近傍にゴム材料を配置し、
前記第１の金型の貫通部に前記他方側から、前記第１および第２の成形溝に前記第３の成形溝を合わせるようにして前記第３の金型を嵌め、
前記第１〜第３の金型を加熱雰囲気中に置くとともに前記第２および第３の金型を互いに狭めるように加圧し、前記リング状ブレスレットを成形することを特徴とするゴム製ブレスレットの成形方法。
【請求項３】
ゴム材料を３個の成形型でリング状に成形してなるゴム製ブレスレットにおいて、
前記成形型の合わせ目に相当する成形筋目が、前記リング部の内側面および端面にてリング方向に沿って形成されてなることを特徴とするゴム製ブレスレット。
【発明の詳細な説明】
【０００１】
【発明の属する技術分野】
本発明は装飾品として例えば腕に嵌めるゴム製ブレスレットの成形金型、ゴム製ブレスレットの成形方法およびゴム製ブレスレットの改良に関する。
【０００２】
【従来の技術】
近年、腕に嵌めるブレスレット１としては、伸縮が良好で通したり抜いたりし易く肌触りも良好であるという理由から、図６に示すように、例えばシリコンゴムからリング状に成形加工したものが流行している。
【０００３】
図７はそのリング部１ａを横切る横断面を示す断面図（図６中のＩＩＶ−ＩＩＶ間断面）であり、図６は若干筒形に図示されているが、便宜上のものであって横断面は図７のように円形である。なお、種々の横断面形状がある。
【０００４】
このブレスレット１は、図８に示すように、ブレスレット１の横断面における下側半断面形状に相当する断面半円状の成形溝３を環状に有する下金型５と、そのブレスレット１の上側半断面形状に相当する成形溝７を成形溝３に揃えて環状に有する上金型９とを用い、図９に示すように、シリコンゴムからなる板状のゴム材料１１を成形溝３を覆うように下金型５に置き、成形溝３に成形溝７を揃えるようにして上金型９を重ねて加熱雰囲気中に置くとともに、ゴム材料１１を圧縮するようにそれら上下金型９、５を加圧して成形加工して製造される。
【０００５】
図８および図９において、符号１３は下金型５の成形溝３外側に連続形成された半断面状の小さな逃げ溝であり、符号１５も上金型９の成形溝７の外側に連続形成された半断面状の小さな逃げ溝であり、符号１７は下金型５の成形溝３内側に連続して形成された扁平な浅い凹部であり、符号１９も上金型９の成形溝７内側に連続して形成された扁平な浅い凹部である。
【０００６】
下金型５において成形溝３と両側の逃げ溝１３や凹部１７との各々の境目や、上金型９における成形溝７と両側の逃げ溝１５や凹部１９との各々の境目は、図９に示すように尖った線条Ｓ、Ｔになっており、それら上下金型９、５を重ねたとき線条Ｓ、Ｔどうしが当接可能になっている。
【０００７】
そのため、上下金型９、５間にゴム材料１１を置いて上下金型９、５を加熱、加圧すると、ゴム材料１１が変形して成形溝３、７内に充満するとともに、逃げ溝１３、１５や凹部１７、１９で形成される空所に余ったゴム材料１１が充満する。
【０００８】
その後、上下金型９、５を離して成形後のゴム材料１１を取り出せば、リング状のブレスレット１が逃げ溝１３、１５や凹部１７、１９に充満された部分からごく簡単に切り離されて成形が完成する。
【０００９】
そして、ブレスレット１の表面に文字や図形を印刷などして製品として完成する。
【００１０】
【発明が解決しようとする課題】
しかしながら、上述したように２枚の上下金型９、５間にゴム材料１１を置いて成形加工すると、上下金型９、５を重ねたとき線条Ｓ、Ｔどうしが当接し、ゴム材料１１から打ち抜くようにブレスレット１が成形加工されたとしても、上下金型９、５の線条Ｓ、Ｔに相当する部分には、図７に示すように、ブレスレット１の外表面および内表面に、例えば小さい環状の突条２１が残ってしまう。
【００１１】
そのため、図６に示すように、ブレスレット１の外表面に文字列２３を印刷しようとすると、突条２１が障害となって綺麗な印刷形態が得られないうえ、印刷したとしても印刷材料が剥がれ易く、見栄えが悪くなる。
【００１２】
もし、鮮明に印刷しようとすると、文字列２３ａのようにブレスレット１の上か下の端面側に印刷しなければならず、印刷面積が狭くて文字列２３ａが小さくならざるを得ないし、腕に嵌めた場合も文字列２３ａが見えにくく、依然として見栄えが悪い難点がある。
【００１３】
本発明はそのような課題を解決するためになされたもので、ゴム製ブレスレットの外表面に文字列や図柄などを印刷し易く、印刷状態も良好で、見栄え良くファッション性に富むブレスレットが得られるゴム製ブレスレットの成形金型、ゴム製ブレスレットの成形方法およびそのブレスレットの提供を目的とする。
の提供を目的とする。
【００１４】
【課題を解決するための手段】
このような課題を解決するために本発明は、貫通部を有する第１の金型であって、その貫通部を形成する筒形内壁にリング状ブレスレットのリング部横断面における外周側半断面に相当する第１の成形溝を環状に設けた第１の金型と、この第１の金型にその貫通部の一方から挿入される第２の金型であって、そのブレスレットの残り内周半断面におけるその一方側部分断面に相当する第２の成形溝を環状に設けた第２の金型と、その第１の金型にその貫通部の他方から第２の金型に近接するように挿入される第３の金型であって、そのレスレットの内周側半断面における他方側部分断面に相当しそれら第１および第２の成形溝とともにブレスレットのリング部形状を形成する第３の成形溝を環状に設けた第３の金型とを具備している。
【００１５】
また、本発明に係る成形方法は、貫通部を有する第１の金型であって、その貫通部を形成する筒形内壁にリング状ブレスレットのリング部横断面における外周側半断面に相当する第１の成形溝を環状に設けた第１の金型と、この第１の金型にその貫通部の一方から挿入される第２の金型であって、そのブレスレットの残りの内周半断面における一方側の部分断面に相当する第２の成形溝を環状に設けた第２の金型と、その第１の金型に貫通部の他方から第２の金型に近接するように挿入される第３の金型であって、そのブレスレットの内周側半断面における他方側部分断面に相当しその第１および第２の成形溝とともにブレスレットのリング部形状を形成する第３の成形溝を環状に設けた第３の金型とを用意し、その第１の金型の貫通部に一方側から、それら第１および第２の成形溝を合わせるようにしてその第２の金型を嵌め、少なくともそれら第１および第２の成形溝の近傍にゴム材料を配置し、その第１の金型の貫通部に他方側からそれら第１および第２の成形溝に第３の成形溝を合わせるようにして第３の金型を嵌め、それら第１〜第３の金型を加熱雰囲気中に置くとともに第２および第３の金型を互いに狭めるように加圧して上記ブレスレットを成形することを特徴とする。
【００１６】
さらに、本発明のゴム製ブレスレットは、上記３個の成形金型の合わせ目に相当する成形筋目が、リング部の内側面および端面にてリング方向に沿って形成されてなるものである。
【００１７】
【発明の実施の形態】
以下本発明の実施の形態を図面を参照して説明する。
【００１８】
図１および図２は本発明に係るゴム製ブレスレットの成形金型の実施を形態を示す断面図および分解断面図である。なお、本発明に係るゴム製ブレスレットの成形方法およびゴム製ブレスレットについては、その成形金型の使用方法を説明する過程で説明する。
【００１９】
図１および図２において、本発明の成形金型は、概略的に、例えば鋼鉄材料その他耐熱性の硬質材料からなる第１の金型（中金型）２５、第２の金型（下金型）２７および第３の金型（上金型）２９から構成されている。
【００２０】
第１の金型２５は、成形加工するブレスレット１のリング部１ａ（上述した図６および図７参照）中央間の直径寸法にほぼ相当する内径寸法の貫通部３１を有し、ブレスレット１におけるリング部１ａの厚み寸法の約２倍以上の厚みＶで薄く形成されている。
【００２１】
その貫通部３１を形成する筒形内壁３３において、第１の金型２５の厚み方向ほぼ中央部には、ブレスレット１のリング部１ａを横切る横断面にあって外周側の半円状半断面に相当する第１の成形溝３５が環状に形成されている。
【００２２】
内壁３３には、やはり第１の金型２５の厚み方向において、第１の成形溝３５の上下両側に、図２のように、それと連続して断面半円状の逃げ溝３７ａ、３７ｂが環状に形成されている。
【００２３】
第２の金型２７は、第１の金型２５に図中下側から貫通部３１に挿入され貫通部３１のほぼ半分（１／２）の長さを有する突台部３９を一体的に備えており、この突台部３９の先端外周の環状角部には、ブレスレット１の残りの内周半断面のさらに半分の部分断面（全体の１／４断面）に相当する第２の成形溝４１を環状に有している。
【００２４】
第２の金型２７の突台部３９にも、逃げ溝３７ａに揃うように、第２の成形溝４１を挟んでこれに連続して逃げ溝４３ａ、４３ｂが環状に形成されており、逃げ溝４３ｂの内側すなわち突台部３９の頂部が若干窪んだ凹部４５となっている。
【００２５】
第３の金型２９は、第１の金型２５に図中上側から貫通部３１に挿入され貫通部３１のほぼ半分（１／２）の長さを有する突台部４７を一体的に備えており、この突台部４７の先端外周には、ブレスレット１の内周半断面の残りの部分断面（全体の残り１／４断面）に相当する第３の成形溝４９を環状に有している。
【００２６】
第２の金型２９の突台部４７にも、逃げ溝３７ｂに揃うように、第３の成形溝４９を挟んでこれに連続して逃げ溝５１ａ、５１ｂが環状に形成されており、逃げ溝５１ｂの内側すなわち突台部４７の頂部が若干窪んだ凹部５３となっている。
【００２７】
符号３７ｃは、第１の金型２５において第３の金型２９との当接面に形成された逃げ溝である。
【００２８】
第１の金型２５において、第１の成形溝３５と両側の逃げ溝３７ａ、３７ｂとの各々の境目、第２の金型２７における第２の成形溝４１と両側の逃げ溝４３ａ、４３ｂとの各々の境目、さらに第３の金型２９における第３の成形溝４９と両側の逃げ溝５１ａ、５１ｂとの各々の境目は、尖った線条ｓ、ｔ、ｕになっており、それら第１〜第３の金型２５〜２９を重ねたとき線条ｓ、ｔ、ｕどうしが当接可能になっている。
【００２９】
なお、突台部３９、４７の外形寸法は、第１の金型２５の貫通部３１の内径寸法とほぼ同じ又は僅かに小さい外形寸法になっている。
【００３０】
次に、上述したブレスレットの成形金型の使用例を説明するが、この過程で本発明のブレスレットの成形方法も説明する。
【００３１】
まず、内壁３３にブレスレット１の外周側半断面に相当する第１の成形溝３５を設けた第１の金型２５と、この第１の金型２５の貫通部３１にはまる突台部３９にブレスレット１の部分断面（全体の１／４断面）に相当する第２の成形溝４１を設けた第２の金型２７と、第１の金型２５の貫通部３１にはまる突台部４７にブレスレット１の残りの部分断面（全体の残りの１／４断面）に相当する第３の成形溝４９を設けた第３の金型２９とを用意する。
【００３２】
次いで、図３に示すように、第１の金型２５の貫通部３１内に、第２の金型２７の突台部３９を下側（一方側）から挿入して、第１の金型２５に第２の金型２７を重ねる。
【００３３】
この状態では、第１の金型２５の第１の成形溝３５と第２の金型２７の第２の成形溝４１が揃ってブレスレット１のリング部１ａ横断面の３／４が形成される。
【００３４】
さらに、例えばシリコンゴム材料からなる板状のゴム材料５５を上側から第１の金型２５の貫通部３１内に入れて、少なくとも第１の成形溝３５近傍に配置する。
【００３５】
そして、第３の金型２９の突台部４７を第１の金型２５の貫通部３１内にその上側（他方側）から挿入し、第３の金型２９を第１の金型２５に重ね、それら第１〜第３の金型２５〜２９を、例えば１７０℃前後の加熱雰囲気中に置くとともに、第２および第３の金型２７、２９を互いに狭めるようにして例えば８Ｋｇ／ｃｍ２の圧力で約７分程度加圧する。
【００３６】
この状態で、第１〜第３の金型２５〜２９の第１〜第３の成形溝３５〜４９が揃ってブレスレット１のリング部１ａ横断面が形成されるとともに、第２、第３の金型２７、２９の突台部３９、４７の先端凹部４５、５３間に空所が形成される。
【００３７】
その加熱加圧過程でゲル状に変形したゴム材料５５は、第１〜第３の成形溝３５〜４９で形成される空所に充填されるとともに、その空所に充填されない余ったゴム材料５５は突台部３９、４７の凹部４５、５３間で形成された空所に充填される一方、第１〜第３の金型２５〜２９の逃げ溝３７ａと４３ａ、３７ｂと５１ａで形成される空所や逃げ溝３７ｃで形成される空所にも、ゴム材料５５が若干充填される。
【００３８】
その後、第１の金型２５から第３の金型２９を取り外してから成形済みゴム材料５５を取り出し、突台部３９、４７間の空所や逃げ溝３７ａと４３ａ、３７ｂと５１ａで形成される空所に充填されたゴム材料５５を取り去ると、図５に示すような本発明のリング状ブレスレット１が完成する。
【００３９】
このリング状ブレスレット１は、上述した図６に示されるように、リング部１ａの外側外周表面に文字列２３や図柄を印刷などして製品化される。
【００４０】
このように本発明に係るゴム製ブレスレットの成形金型は、第１〜第３の金型２５〜２９からなり、第１の金型２５には、貫通部３１を設けるとともにこの貫通部３１を形成する内壁３３にブレスレット１のリング部１ａ横断面における外周側半断面相当の第１の成形溝３５を環状に形成し、第２の金型２７には、第１の金型２５の貫通部３１に挿入する突台部３９を設け、この突台部３９の先端外周にブレスレット１の残り内周半断面のさらに半分の部分断面をなす第２の成形溝４１を環状に形成し、第３の金型２９には、第１の金型２５の貫通部３１に挿入され突台部４７を設け、この突台部４７の先端外周にブレスレット１の内周半断面の残り部分断面相当の第３の成形溝４９を環状に形成して構成されている。
【００４１】
そのため、第１の金型２５の貫通部３１内に第２の金型２７の突台部３９を下側から挿入した状態で、シリコンゴムなどのゴム材料５５を上側から第１の金型２５の貫通部３１内に入れて第１の成形溝３５近傍に配置し、第３の金型２９の突台部４７を第１の金型２５の貫通部３１内にその上側から挿入し、それら第１〜第３の金型２５〜２９を加熱雰囲気中にて第２および第３の金型２７、２９を互いに狭めるようにして加熱、加圧成形すると、図５に示すように、第１〜第３の金型２５〜２９の合わせ目に沿って形成される小さな突条５７が、リング部１ａの内側外周面と上下の端面側外周面に形成され、ブレスレット１の外側外周面が滑らかとなる。
【００４２】
そのため、リング状ブレスレット１の外側外周面に印刷を施し易くなるとともに、印刷後の印刷材料が剥がれ難くなるうえ、印刷形態を大きく見せることが可能となる（図６参照）。
【００４３】
そして、本発明のゴム製ブレスレットの成形金型および成形方法で成型された本発明のゴム製ブレスレットは、例えば腕に嵌めた状態でも印刷形態が外部から見やすくなり、見栄えが向上し、ファッション性に富むことになる。
【００４４】
上述したゴム製ブレスレットの成形金型および成形方法において、第１〜第３の成形金型２５〜２９は、薄く形成した方が小型で材料費も節約されて好ましいが、第１の成形金型２５については成形するブレスレット１におけるリング部１ａの厚み寸法Ｖの２倍〜４倍好ましくは２倍〜３．５倍程度の厚みで薄く形成すると、成形回数を増加しても、第１の成形金型２５がへたり難くなる利点がある。
【００４５】
上述した本発明に係る成形金型は、横断面円形のブレスレット１を成形するものであったが、本発明では横断面が楕円形や方形のブレスレット１を成形する場合にも応用可能であり、第１〜第３の成形金型２５〜２９の第１〜第３の成形溝３５〜４９の断面形状をそれに合わせて形成すれば良いし、第１〜第３の成形金型２５〜２９の逃げ溝３７ａ〜３７ｃ、４３ａ、４３ｂ、５１ａ、５１ｂの断面形状も任意である。
【００４６】
そして、ブレスレット１を成形するゴム材料としてはシリコンゴム材料が一般的であるが、このような合成ゴム材料に限定されず、天然ゴム材料で成形することも可能である。
【００４７】
また、ゴム材料を成形時に金型内に配置する位置は、少なくとも第１の成形金型２５の第１の成形溝３５の近傍であれば任意であり、配置するゴム材料５５の形状も任意である。
【００４８】
さらに、第１〜第３の金型２５〜２９の合わせ目によってできる形態は突条５７に限らず、突条５７や段差を含む広義の筋目である。
【００４９】
さらにまた、上述した本発明に係る成形金型は、各々１個ずつの第１の金型２５、第２の金型２７および第３の金型２９から構成する例を示したが、本発明では１枚の鉄板に各々複数の第１〜第３の金型２５、２７、２９を形成して構成すれば、一度に複数のブレスレット１を成形することが可能である。
【００５０】
【発明の効果】
以上説明したように本発明に係るゴム製ブレスレットの成形金型は、外側外表面に文字列や図柄などを印刷し易く、印刷状態も良好で、見栄え良く、ファッション性に富むブレスレットを簡単に成形加工できるし、金型本体の構成も簡単で製造し易い。
また、本発明に係るゴム製ブレスレットの成形方法では、外側外表面に文字列などを印刷し易く、印刷状態や見栄えが良好で、ファッション性に富むブレスレットを簡単に得られる利点がある。
そして、本発明に係るゴム製ブレスレットは、ブレスレットの外側外表面に文字列などを印刷し易く、印刷状態や見栄えが良好で、ファッション性に富む利点がある。
【図面の簡単な説明】
【図１】本発明に係るゴム製ブレスレットの成形金型の実施の形態を説明する断面図である。
【図２】図１に示すゴム製ブレスレットの成形金型の分解断面図である。
【図３】本発明に係るゴム製ブレスレットの成形金型の使用例および本発明に係る成形方法を説明する要部断面図である。
【図４】本発明に係るゴム製ブレスレットの成形金型の使用例および成形方法を説明する断面図である。
【図５】本発明に係るゴム製ブレスレットの成形金型および成形方法で製造された本発明に係るゴム製ブレスレットの断面図である。
【図６】従来および本発明の参考となるゴム製ブレスレットを示す斜視図である。
【図７】従来のゴム製ブレスレットを示す断面図（図６中のＩＩＶ−ＩＩＶ間断面）である。
【図８】従来のゴム製ブレスレットの成形金型を説明する断面図である。
【図９】従来のゴム製ブレスレットの成形金型を用いた成形方法を説明する分解断面図である。
【符号の説明】
１　ブレスレット
１ａ　リング部
３　成形溝
５　下金型
７　成形溝
９　上金型
１１　ゴム材料
１３、１５　逃げ溝
１７、１９　凹部
２１、５７　突条（筋目）
２３、２３ａ　文字列
２５　第１の金型
２７　第２の金型
２９　第３の金型
３１　貫通部
３３　内壁
３５　第１の成形溝
３７ａ、３７ｂ、３７ｃ、４３ａ、４３ｂ、５１ａ、５１ｂ　逃げ溝
３９、４７　突台部
４１　第２の成形溝
４５、５３　凹部
４９　第３の成形溝
５５　ゴム材料
Ｓ、Ｔ、ｓ、ｔ、ｕ　線条
Ｖ　厚み
【図１】
2004141205.tif 000003
【図２】
2004141205.tif 000004
【図３】
2004141205.tif 000005
【図４】
2004141205.tif 000006
【図５】
2004141205.tif 000007
【図６】
2004141205.tif 000008
【図７】
2004141205.tif 000009
【図８】
2004141205.tif 000010
【図９】
2004141205.tif 000011